(57)【要約】【課題】  保持器の加工のバラツキにより柱倒れが生じた際でも、ころところ案内面との端部当りによるスキューを防止し、ころを理想的姿勢に安定させること。【解決手段】  ポケット４隅部に、ころの進行方向に対して以下の数値で逃げ形状を設け、  ０．０２≦△１≦０．３５  ０．０２≦△２≦０．３５  ０．１×ＷＣ≦△３≦０．３５×ＷＣ  ０．１×ＷＣ≦△４≦０．３５×ＷＣに設定してあり、ここで、△１は、円周方向逃げ深さ（大径側）であり、△２は、円周方向逃げ深さ（小径側）であり、Δ３は、逃げ幅（大径側）であり、△４は、逃げ幅（小径側）であり、ＷＣは、ポケット丈寸法である。【選択図】  図１
2006214466.tif 000002
【特許請求の範囲】
【請求項１】
多数の転動体のころを所定の間隔に保持するころ軸受用保持器において、
そのポケット４隅部に、ころの進行方向に対して以下の数値で逃げ形状を設け、
０．０２≦△１≦０．３５
０．０２≦△２≦０．３５
０．１×ＷＣ≦△３≦０．３５×ＷＣ
０．１×ＷＣ≦△４≦０．３５×ＷＣ
に設定してあり、ここで、
△１は、円周方向逃げ深さ（大径側）であり、
△２は、円周方向逃げ深さ（小径側）であり、
Δ３は、逃げ幅（大径側）であり、
△４は、逃げ幅（小径側）であり、
ＷＣは、ポケット丈寸法であることを特徴とするころ軸受用保持器。
【発明の詳細な説明】
【技術分野】
【０００１】
本発明は、各種産業機械に用いられるころ軸受に使用するころ軸受用保持器に関する。
【背景技術】
【０００２】
図３は、従来例に係るころ軸受用保持器のポケット形状を説明するための模式図である。
【０００３】
円錐ころ軸受には、多数の転動体のころＢを所定の間隔に保持する保持器Ａが設けてある。保持器Ａは、ころＢを収納する多数のポケットＣを有している。
【０００４】
従来例に係る保持器ＡのポケットＣの形状は、図３に示すように、ころ転動面２１側のころ案内面２２は、ストレートであり、４隅ＲのＲ２５とＲ２６と接する。また、ころ端面側の案内面２３、２４も、４隅ＲのＲ２５とＲ２６と接する。
【発明の開示】
【発明が解決しようとする課題】
【０００５】
しかしながら、保持器Ａの加工のバラツキにより、柱倒れが生じた際、従来の技術では、ころ転動面２１側のころ案内面２２がストレートであるため、ころ案内面２２は、ころ転動面２１の端部と局部的に接触し、ころＢの姿勢を崩してしまう。
【０００６】
その結果、運転中、ころＢは、スキューし、不安定状態で自転及び公転を行うため、以下の問題点が生じる。
【０００７】
例えば、回転精度の低下や音響の悪化が生じる。また、ころ転動面２１ところ案内面２２の端部における局部的接触による接触面圧が増加し、これにより、ころ案内面２２と、ころＢとの接触部で摩耗が進行する。さらに、スキューによる外輪及び内輪の軌道面と、ころ転動面２１との間でのすべりが生じ、トルク増加、摩耗進行、発熱、焼付き等が生じるといったことがある。
【０００８】
本発明は、上述したような事情に鑑みてなされたものであって、保持器の加工のバラツキにより柱倒れが生じた際でも、ころところ案内面との端部当りによるスキューを防止し、ころを理想的姿勢に安定させることができる、ころ軸受用保持器を提供することを目的とする。
【課題を解決するための手段】
【０００９】
上記の目的を達成するため、本発明の請求項１に係るころ軸受用保持器は、多数の転動体のころを所定の間隔に保持するころ軸受用保持器において、
そのポケット４隅部に、ころの進行方向に対して以下の数値で逃げ形状を設け、
０．０２≦△１≦０．３５
０．０２≦△２≦０．３５
０．１×ＷＣ≦△３≦０．３５×ＷＣ
０．１×ＷＣ≦△４≦０．３５×ＷＣ
に設定してあり、ここで、
△１は、円周方向逃げ深さ（大径側）であり、
△２は、円周方向逃げ深さ（小径側）であり、
Δ３は、逃げ幅（大径側）であり、
△４は、逃げ幅（小径側）であり、
ＷＣは、ポケット丈寸法であることを特徴とする。
【発明の効果】
【００１０】
本発明によれば、ポケット４隅部に、ころの進行方向に対して、上記のような数値で逃げ形状を設けてあることから、保持器の加工のバラツキにより柱倒れが生じた際でも、ころところ案内面との端部当りによるスキューを防止し、ころを理想的姿勢に安定させることができる。
【発明を実施するための最良の形態】
【００１１】
以下、本発明の実施の形態に係るころ軸受用保持器を図面を参照しつつ説明する。
【００１２】
図１は、本発明の実施の形態に係るころ軸受用保持器のポケット形状を説明するための模式図である。
【００１３】
図示例では、円錐ころ軸受を示したが、円筒ころ軸受でも同様であり、またラジアル軸受・スラスト軸受両タイプに適用できる。
【００１４】
円錐ころ軸受には、多数の転動体のころＢを所定の間隔に保持する保持器Ａが設けてある。保持器Ａは、ころＢを収納する多数のポケットＣを有している。保持器ＡのポケットＣの形状は、ころ転動面２１側のころ案内面２２は、ストレートである。
【００１５】
本実施の形態では、保持器Ａの加工のバラツキにより柱倒れが生じた際でも、ころ転動面２１の端部ところ案内面２２の端部との接触を回避し、ころＢがその中央部近辺で保持器Ａに案内されるようにするために、ポケットＣの４隅逃げ形状を以下の如く数値限定する。
【００１６】
回転中、保持器ＡがころＢを正しく案内するためには、ころＢところ案内面２２の接触長さＳを保持器ポケット丈ＷＣの３０％以上とすれば、その機能を十分発揮できることが経験的に知られている。
【００１７】
一方、保持器Ａの柱倒れが発生した際、柱の端部ところ転動面２１の端部での接触を避けるためには、ころＢところ案内面２２の接触長さＳを保持器Ａのポケット丈ＷＣの８０％以下とすれば良い。つまり、
０．３×ＷＣ≦Ｓ≦０．８×ＷＣとなる。
ここで、逃げ幅は△３＝△４であることが理想的であることから
０．１×ＷＣ≦Δ３＝△４≦０．３５×ＷＣ              ……（１）
となる。
【００１８】
次に、保持器Ａの柱倒れが生じた際、ころ転動面２１の端部ところ案内面２２の端部との接触を避けるためには、以下の逃し量が必要となる。
必要逃がし量（大径側）      Δ１＝Δ３×ａ／ＷＣ  
必要逃がし量（小径側）      Δ２＝△４×ａ／ＷＣ  
但し、ａ：保持器の柱倒れ量（図３参照）
保持器Ａの柱倒れ量ａは、経験的に  
０．２≦ａ≦１                                        ……（２）
であることが分かっていることから、（１）（２）式より、逃し量は、
０．０２≦△１＝△２≦０．３５となる。
【００１９】
以上より、ポケットＣの４隅逃げ形状は、以下の関係式により決定される。  
０．０２≦△１＝△２≦０．３５  
０．１×ＷＣ≦Δ３＝Δ４≦０．３５×ＷＣ
【００２０】
次いで、ころ軸受に使用される保持器Ａにおいて、そのポケットＣの４隅部にころＢの進行方向に対して上記の如く逃げ形状を設けることにより、保持器Ａの加工のバラツキで柱倒れが生じた際でも、ころ転動面２１の端部ところ案内面２２の端部との接触を回避し、ころＢがその中央部近辺で保持器Ａに案内されるようにした。
【００２１】
これによって、ころＢところ案内面２２との端部当りによるスキューを防止し、ころＢを理想的姿勢に安定させることで、従来問題となっていた、回転精度の低下、音響の悪化、ころ案内面２２のころ接触部での摩耗、外内輪軌道面及びころ転動面２１での摩耗、トルク増加、発熱、焼付き等の発生を抑制できる。
【００２２】
次いで、図２は、従来品（逃げなし品）と本発明品（逃げあり品）におけるアキシアル振れ測定結果を示す。
【００２３】
従来品では１０個中３個は、アキシアル振れが安定しないが、本発明品では、全てが安定しており回転精度の向上が図られている。
【００２４】
また、従来、ポケットＣの４隅Ｒ寸法（Ｒ２５、Ｒ２６）は、ころ面取部との干渉をさけるため、ころ面取寸法よりも小さく設定する必要があったが、本発明にて、４隅部に逃げを設けることにより、４隅Ｒ寸法は、（Ｒ２５十△１）または（Ｒ２６十△２）と設定することができる。つまり、従来よりも４隅Ｒ寸法を大きくできるため、Ｒ部での応力集中を緩和し保持器強度を向上できる。
【００２５】
更に、グリース潤滑の場合、ポケットＣの４隅の逃げ部がグリース溜りの役目を果たすことで、従来よりも潤滑性が良好となり、寿命延長が期待できる。
【００２６】
なお、本発明は、上述した実施の形態に限定されず、種々変形可能である。
【図面の簡単な説明】
【００２７】
【図１】本発明の実施の形態に係るころ軸受用保持器のポケット形状を説明するための模式図である。
【図２】従来品（逃げなし品）と本発明品（逃げあり品）におけるアキシアル振れ測定結果を示す。
【図３】従来例に係るころ軸受用保持器のポケット形状を説明するための模式図である。
【符号の説明】
【００２８】
Ａ  保持器
Ｂ  ころ
Ｃ  ポケット
２１  ころ転動面
２２  ころ案内面
【図１】
2006214466.tif 000003
【図２】
2006214466.tif 000004
【図３】
2006214466.tif 000005